(57)【要約】【課題】人体の脚部又は／及び腕部に装着されることで、リンパ液を人体内部でさらに効率よく循環させることが可能な弾性着衣を提供する。【解決手段】人体の脚部Ｌ又は／及び腕部Ａにおいて、関節を含む関節部Ｌ（２ａ）と、関節部Ｌ（２ａ）の一方側から延びた先端部Ｌ（２ｂ）と、関節部Ｌ（２ａ）の他方側から延びた根本部Ｌ（２ｃ）とを被覆する弾性ストッキング１であって、関節部Ｌ（２ａ）を被覆する関節被覆部２ａと、関節被覆部２ａにおける直線方向Ｄ１一方側から延びるように形成されて先端部Ｌ（２ｂ）を被覆する先端被覆部２ｂと、関節被覆部２ａにおける直線方向Ｄ１他方側から延びるように形成されて根本部Ｌ（２ｃ）を被覆する根本被覆部２ｃとを有し、先端被覆部２ｂから関節被覆部２ａを通過して根本被覆部２ｃへ延びる曲線Ｃ１に沿って弾性力が作用する弾性ストッキング。【選択図】図１
2020039754.tif 000002
【特許請求の範囲】
【請求項１】
人体の脚部又は／及び腕部において、関節を含む関節部と、当該関節部の一方側から延びた先端部と、前記関節部の他方側から延びた根本部とを被覆する弾性着衣であって、
前記関節部を被覆する関節被覆部と、
前記関節被覆部における直線方向一方側から延びるように形成されて前記先端部を被覆する先端被覆部と、
前記関節被覆部における前記直線方向他方側から延びるように形成されて前記根本部を被覆する根本被覆部とを有し、
前記先端被覆部から前記関節被覆部を通過して前記根本被覆部へ延びる曲線に沿って弾性力が作用することを特徴とする弾性着衣。
【請求項２】
前記弾性着衣は、
着衣部材と、
当該着衣部材に貼付された貼付部材とを有しており、
当該貼付部材は、前記着衣部材に前記曲線状で貼付されることで、前記着衣部材に対して前記曲線状で前記弾性力を作用させることを特徴とする請求項１に記載の弾性着衣。
【請求項３】
前記弾性力は、前記関節被覆部の前面における幅方向中心において、前記直線方向に対し０°以上４５°以下の方向に作用することを特徴とする請求項１又は２に記載の弾性着衣。
【発明の詳細な説明】
【技術分野】
【０００１】
本発明は、弾性材料で構成されて人体の脚部又は／及び腕部に装着される弾性着衣に関するものであり、特に、リンパ浮腫の治療にも使用可能な弾性着衣に関するものである。
【背景技術】
【０００２】
弾性着衣とは、弾性材料（弾性を有する材料）で構成されて人体の脚部又は／及び腕部に装着される着衣をいう。弾性着衣には、人体の脚部に装着される弾性ストッキング（例えば、特許文献１）、人体の腕部に装着される弾性スリーブなどが存在する。弾性着衣は、異なる箇所においてそれぞれ異なった圧力を人体に付与する（着圧する）ことで、人体内においてリンパ液の流れを円滑にする。
【０００３】
しかし、弾性着衣は、リンパ液を人体内部で循環させるのが困難となる病気（例えば、リンパ浮腫）の治療にも使用されるため、リンパ液を人体内部でさらに効率よく循環させることが要請されている。
【先行技術文献】
【特許文献】
【０００４】
【特許文献１】特開２０１１−１１５５７１号公報
【発明の概要】
【発明が解決しようとする課題】
【０００５】
そこで、本発明は、人体の脚部又は／及び腕部に装着されることで、リンパ液を人体内部でさらに効率よく循環させることが可能な弾性着衣を提供することを目的とする。
【課題を解決するための手段】
【０００６】
上記課題を解決するため、本発明は、人体の脚部又は／及び腕部において、関節を含む関節部と、当該関節部の一方側から延びた先端部と、前記関節部の他方側から延びた根本部とを被覆する弾性着衣であって、前記関節部を被覆する関節被覆部と、前記関節被覆部における直線方向一方側から延びるように形成されて前記先端部を被覆する先端被覆部と、前記関節被覆部における前記直線方向他方側から延びるように形成されて前記根本部を被覆する根本被覆部とを有し、前記先端被覆部から前記関節被覆部を通過して前記根本被覆部へ延びる曲線に沿って弾性力が作用することを特徴とする。
【０００７】
本発明によれば、先端被覆部から関節被覆部を通過して根本被覆部へ延びる曲線に沿って弾性力が作用することで、この曲線に沿って伸縮可能な弾性着衣とすることができる。これにより、関節運動時における筋肉の動きに合わせて人体を着圧することができ、関節運動時における人体への着圧を強くすることができる。このため、関節運動時と関節静止時との着圧の強さの差を大きくすることができる。よって、関節運動時の着圧により、人体内部でリンパ液を（従来の弾性着衣より）さらに効率よく循環させることが可能な弾性着衣とすることができる。
【０００８】
また、前記弾性着衣は、着衣部材と、当該着衣部材に貼付された貼付部材とを有しており、当該貼付部材は、前記着衣部材に前記曲線状で貼付されることで、前記着衣部材に対して前記曲線状で前記弾性力を作用させてもよい。これにより、既存の着衣部材に貼付部材を貼付するだけの簡易な方法により、関節運動時の着圧による人体内部でのリンパ液循環効果を高めることができる。
【０００９】
また、前記弾性力は、前記関節被覆部の前面における幅方向中心において、前記直線方向に対し０°以上４５°以下の方向に作用してもよい。これにより、関節被覆部が延びている直線方向に対して弾性力が強く作用し、より確実に関節運動時における筋肉の動きに合わせて人体を着圧することができる。よって、関節運動時の着圧による人体内部でのリンパ液循環効果をさらに高めることができる。
【発明の効果】
【００１０】
以上のように、本発明によれば、人体の脚部又は／及び腕部に装着されることで、リンパ液を人体内部でさらに効率よく循環させることができる。
【図面の簡単な説明】
【００１１】
【図１】本発明に係る弾性着衣の第一実施形態を示す概略図である。
【図２】本発明に係る弾性着衣の第二実施形態を示す概略図である。
【図３】本発明に係る弾性着衣の第三実施形態を示す概略図である。
【図４】本発明に係る弾性着衣の第四実施形態を示す概略図である。
【図５】本発明に係る弾性着衣の試験例を示す表である。
【発明を実施するための形態】
【００１２】
次に、本発明を実施するための形態について、図面を参照しながら詳細に説明する。
【００１３】
まず、本発明に係る弾性着衣の第一実施形態について説明する。図１は、本発明に係る弾性着衣の第一実施形態（弾性ストッキング）を示す概略図である。図１は、人体の脚部に弾性ストッキングを取り付けた状態の一部破断図であり、右側（左脚側）が正面図であり、左側（右脚側）が破断図（弾性ストッキングを破断したもの）を示している。ここで、人体の脚部Ｌ（左右それぞれの脚部）は、膝関節を含む膝関節部Ｌ（２ａ）と、膝関節部Ｌ（２ａ）の一方側から延びた先端部Ｌ（２ｂ）と、膝関節部Ｌ（２ａ）の他方側から延びた根本部Ｌ（２ｃ）とで構成されている。
【００１４】
図１に示す弾性ストッキング１は、ストッキング部材２のみで構成されている。そして、ストッキング部材２は、人体の脚部Ｌを被覆するものであり、具体的には、膝関節部Ｌ（２ａ）と、先端部Ｌ（２ｂ）と、根本部Ｌ（２ｃ）とを被覆する。ストッキング部材２は、膝関節部Ｌ（２ａ）を被覆する膝関節被覆部２ａ（関節被覆部）と、膝関節被覆部２ａにおける直線方向Ｄ１（膝関節被覆部２ａにおいて幅方向中心を通る直線）の一方側から延びるように形成されて先端部Ｌ（２ｂ）を被覆する先端被覆部２ｂと、膝関節被覆部２ａにおける直線方向Ｄ１他方側から延びるように形成されて根本部Ｌ（２ｃ）を被覆する根本被覆部２ｃとを有する。さらに、ストッキング部材２は、先端被覆部２ｂから膝関節被覆部２ａを通過して根本被覆部２ｃへ延びる曲線Ｃ１に沿って弾性力が作用する。この弾性力は、ストッキング部材２の製造時における弾性材料による編込により、ストッキング部材２に作用するものである。また、曲線Ｃ１は、膝関節被覆部２ａの前面｛膝関節部Ｌ（２ａ）を曲げることで膝関節被覆部２ａの中で最も伸びる部分｝における幅方向中心において、直線方向Ｄ１に対し０°以上４５°以下である（０≦α≦４５）ことが好ましい。
【００１５】
次に、本発明に係る弾性着衣の第二実施形態について説明する。図２は、本発明に係る弾性着衣の第二実施形態（弾性ストッキング）を示す概略図である。同図に示す弾性ストッキング１１は、ストッキング部材１２（着衣部材）と、ストッキング部材１２に曲線状で貼付されるテープ１３（貼付部材）とを有している。テープ１３は、先端被覆部２ｂから膝関節被覆部２ａを通過して根本被覆部２ｃへ延びる曲線（図１に示す曲線Ｃ１と同様の曲線）状で貼付される。これにより、テープ１３は、図１に示す弾性ストッキング１で曲線Ｃ１に作用した弾性力と同様の弾性力をストッキング部材１２に対して作用させる。
【００１６】
なお、弾性ストッキング１１において、図１に示す弾性ストッキング１と同様の構成については弾性ストッキング１と同様の符号を付した。弾性ストッキング１１において、弾性ストッキング１と同様の符号が付された構成については説明を省略する。
【００１７】
さらに、本発明に係る弾性着衣の第三実施形態について説明する。図３は、本発明に係る弾性着衣の第三実施形態（弾性ストッキング）を示す概略図である。図３は、人体の脚部に弾性ストッキングを取り付けた状態の一部破断図であり、右側（左脚側）が正面図であり、左側（右脚側）が破断図（弾性ストッキングを破断したもの）を示している。ここで、人体の脚部Ｌ（左右それぞれの脚部）は、足首関節を含む足首関節部Ｌ（２２ａ）と、足首関節部Ｌ（２２ａ）の一方側から延びた先端部Ｌ（２２ｂ）と、足首関節部Ｌ（２２ａ）の他方側から延びた根本部Ｌ（２２ｃ）とで構成されている。
【００１８】
図３に示す弾性ストッキング２１は、ストッキング部材２２のみで構成されている。そして、ストッキング部材２２は、人体の脚部Ｌを被覆するものであり、具体的には、足首関節部Ｌ（２２ａ）と、先端部Ｌ（２２ｂ）と、根本部Ｌ（２２ｃ）とを被覆する。ストッキング部材２２は、足首関節部Ｌ（２２ａ）を被覆する足首関節被覆部２２ａ（関節被覆部）と、足首関節被覆部２２ａにおける直線方向Ｄ２（足首関節被覆部２２ａにおいて幅方向中心を通る直線）一方側から延びるように形成されて先端部Ｌ（２２ｂ）を被覆する先端被覆部２２ｂと、足首関節被覆部２２ａにおける直線方向Ｄ２他方側から延びるように形成されて根本部Ｌ（２２ｃ）を被覆する根本被覆部２２ｃとを有する。さらに、ストッキング部材２２において、先端被覆部２２ｂから足首関節被覆部２２ａを通過して根本被覆部２２ｃへ延びる曲線Ｃ２に沿って弾性力が作用する。この弾性力は、ストッキング部材２２の製造時における弾性材料による編込により、ストッキング部材２２に作用するものである。また、曲線Ｃ２は、足首関節被覆部２２ａの前面｛足首関節部Ｌ（２２ａ）を曲げることで足首関節被覆部２２ａの中で最も伸びる部分｝における幅方向中心において、直線方向Ｄ２に対し０°以上４５°以下である（０≦β≦４５）ことが好ましい。
【００１９】
なお、上記第三実施形態において、ストッキング部材２２に貼付されるテープ（不図示）を備えることもできる。この場合、このテープを、先端被覆部２２ｂから足首関節部２２ａを通過して根本被覆部２２ｃへ延びる曲線Ｃ２状に貼付する。これにより、このテープは、ストッキング部材２２に対して曲線Ｃ２状で弾性力を作用させる。
【００２０】
また、本発明に係る弾性着衣の第四実施形態について説明する。図４は、本発明に係る弾性着衣の第四実施形態（弾性スリーブ）を示す概略図であり、（ａ）は人体の腕部に弾性スリーブを装着した状態、（ｂ）は人体の腕部を示している。ここで、図４（ｂ）に示すように、人体の腕部Ａは、肘関節を含む肘関節部Ａ（３２ａ）と、肘関節部Ａ（３２ａ）の一方側から延びた先端部Ａ（３２ｂ）と、肘関節部Ａ（３２ａ）の他方側から延びた根本部Ａ（３２ｃ）とで構成されている。
【００２１】
図４に示す弾性スリーブ３１は、スリーブ部材３２のみで構成されている。そして、スリーブ部材３２は、人体の腕部Ａを被覆するものであり、具体的には、肘関節部Ａ（３２ａ）と、先端部Ａ（３２ｂ）と、根本部Ａ（３２ｃ）とを被覆する。スリーブ部材３２は、肘関節部Ａ（３２ａ）を被覆する肘関節被覆部３２ａ（関節被覆部）と、肘関節被覆部３２ａにおける直線方向Ｄ３（肘関節被覆部３２ａにおいて幅方向中心を通る直線）一方側から延びるように形成されて先端部Ａ（３２ｂ）を被覆する先端被覆部３２ｂと、肘関節被覆部３２ａから直線方向Ｄ３における他方側から延びるように形成されて根本部Ａ（３２ｃ）を被覆する根本被覆部３２ｃとを有する。さらに、スリーブ部材３２において、先端被覆部３２ｂから肘関節被覆部３２ａを通過して根本被覆部３２ｃへ延びる曲線Ｃ３に沿って弾性力が作用する。この弾性力は、スリーブ部材３２の製造時における弾性材料による編込により、スリーブ部材３２に作用するものである。また、曲線Ｃ３は、肘関節被覆部３２ａの前面｛肘関節部Ａ（３２ａ）を曲げることで肘関節被覆部３２ａの中で最も伸びる部分｝における幅方向中心において、直線方向Ｄ３に対し０°以上４５°以下である（０≦γ≦４５）ことが好ましい。
【００２２】
なお、上記第四実施形態において、スリーブ部材３２に貼付されるテープ（不図示）を備えることもできる。この場合、このテープを、先端被覆部３２ｂから肘関節部３２ａを通過して根本被覆部３２ｃへ延びる曲線Ｃ３状に貼付する。これにより、このテープは、スリーブ部材３２に対して曲線Ｃ３状で弾性力を作用させる。
【００２３】
次に、本発明に係る弾性着衣の試験例について説明する。図５は、本発明に係る弾性着衣（弾性ストッキング、弾性スリーブ）の試験例を示している。まず、これらの試験方法について説明する。最初に、空気圧測定器（商品名：ピコプレス）における測定部を被験者の各関節（膝関節、足首関節、肘関節）に貼付した。
【００２４】
次に、この上から、（１）弾性力Ｆが作用するテープを取り付けた（ストッキング無、テープ有）、（２）弾性力Ｆが作用しないストッキング部材を取り付けた（ストッキング有、テープ無）、（３）テープにより弾性力Ｆが作用するストッキング部材を取り付けた（ストッキング有、テープ有）、（４）弾性力Ｆが作用しないスリーブ部材を取り付けた（スリーブ有、テープ無）、（５）テープにより弾性力Ｆが作用するスリーブ部材を取り付けた（スリーブ有、テープ有）。なお、弾性力Ｆとは、図１乃至図４に示す曲線Ｃ１〜Ｃ３に沿って作用する弾性力である。また、上記（１）は、編込により弾性力Ｆが作用するストッキング部材を取り付ける場合に相当する。
【００２５】
そして、被験者を様々な状態（座位、立位、屈曲位、屈伸時、歩行時）にして空気圧測定器により空気圧（着圧）を測定した。さらに、この測定結果から、第１圧差（屈伸時の着圧の強さ−立位の着圧の強さ、または、屈伸時の着圧の強さ−屈曲位の着圧の強さ）、第２圧差（歩行時の着圧の強さ−立位の着圧の強さ）を算出した。
【００２６】
図５（ａ）は、膝関節の第１着圧試験を示す表である。膝関節の第１着圧試験は、ストッキング部材に弾性力Ｆを作用させる場合と作用させない場合とにおいて、膝関節運動時（屈伸時、歩行時）と膝関節静止時（座位、立位）との着圧の強さの差（第１圧差、第２圧差）を測定した試験である。また、ストッキング部材に弾性力Ｆが作用する方向の角度（図１、図２に示す弾性ストッキングにおいて「α」に相当）は３０°とした。
【００２７】
図５（ａ）に示すように、弾性力Ｆが作用しないストッキング部材を取り付けた場合(比較例１)に比較して、テープにより弾性力Ｆが作用するストッキング部材を取り付けた場合（実施例２）においては、第１圧差及び第２圧差がそれぞれ大きい（実施例２：第１圧差１８、第２圧差２。比較例１：第１圧差２、第２圧差−２）。つまり、テープにより弾性力Ｆが作用するストッキング部材を取り付けることで、弾性力Ｆが作用しないストッキング部材を取り付ける場合に比較して、膝関節運動時と膝関節静止時との着圧の強さの差を大きくすることができる。
【００２８】
さらに、弾性力Ｆが作用するテープを取り付けた場合（実施例１）も比較例１より第１圧差及び第２圧差が大きい（実施例１：第１圧差１３、第２圧差２。比較例１：第１圧差２、第２圧差−２。）。つまり、編込により弾性力Ｆが作用するストッキング部材を取り付けることで、弾性力Ｆが作用しないストッキング部材を取り付ける場合に比較して、膝関節運動時と膝関節静止時との着圧の強さの差を大きくすることができる。
【００２９】
図５（ｂ）は、膝関節の第２着圧試験を示す表である。膝関節の第２着圧試験は、ストッキング部材に弾性力Ｆが作用する方向の角度（テープの貼付角度）ごとにおける、膝関節運動時と膝関節静止時との着圧の強さの差を測定した試験である。
【００３０】
図５（ｂ）に示すように、テープの貼付角度が長軸３０°である場合（実施例４：図２に示す弾性ストッキングにおいてα＝３０である場合）において、第１圧差及び第２圧差の大きさがそれぞれ極大となる（実施例４：第１圧差１２、第２圧差０。実施例３及び５：第１圧差４、第２圧差−１。）。そして、テープの貼付角度が長軸０°、長軸４５°である場合（実施例３及び５：図２に示す弾性ストッキングにおいてα＝０、４５である場合）において、第１圧差及び第２圧差は、実施例４より小さくなるが比較例１よりは大きい。つまり、ストッキング部材に弾性力Ｆが作用する方向の角度は、長軸０°以上４５°以下であることが好ましい。
【００３１】
図５（ｃ）は、足首関節の着圧試験を示す表である。足首関節の着圧試験は、ストッキング部材に弾性力Ｆを作用させる場合と作用させない場合とにおいて、足首関節運動時（屈伸時、歩行時）と足首関節静止時（座位、立位）との着圧の強さの差（第１圧差、第２圧差）を測定した試験である。
【００３２】
図５（ｃ）に示すように、弾性力Ｆが作用するテープを取り付けた場合（実施例６）、テープにより弾性力Ｆが作用するストッキング部材を取り付けた場合（実施例７）において、比較例１より第１圧差及び第２圧差がそれぞれ大きい（実施例６：第１圧差１６、第２圧差０。実施例７：第１圧差１７、第２圧差−１。比較例１：第１圧差２、第２圧差−２。）。つまり、編込又はテープにより弾性力Ｆが作用するストッキング部材を取り付けることで、弾性力Ｆが作用しないストッキング部材を取り付ける場合に比較して、足首関節運動時と足首関節静止時との着圧の差を大きくすることができる。
【００３３】
図５（ｄ）は、肘関節の着圧試験を示す表である。肘関節の着圧試験は、スリーブ部材に弾性力Ｆを作用させる場合と作用させない場合とにおいて、肘関節運動時（屈伸時）と肘関節静止時（屈曲位）との着圧の強さの差（第１圧差）を測定した試験である。
【００３４】
図５（ｄ）に示すように、弾性力Ｆが作用しないスリーブ部材を取り付けた場合(比較例２)に比較して、テープにより弾性力Ｆが作用するスリーブ部材を取り付けた場合（実施例８）においては、第１圧差が大きい（実施例８：第１圧差１９。比較例２：第１圧差６）。つまり、テープにより弾性力Ｆが作用するスリーブ部材を取り付けることで、弾性力Ｆが作用しないスリーブ部材を取り付ける場合に比較して、肘関節運動時と肘関節静止時との着圧の強さの差を大きくすることができる。
【００３５】
以上のように、上記第一乃至第四実施形態によれば、先端被覆部Ｌ（２ｂ）、Ｌ（２２ｂ）、Ａ（３２ｂ）から関節被覆部Ｌ（２ａ）、Ｌ（２２ａ）、Ａ（３２ａ）を通過して根本被覆部Ｌ（２ｃ）、Ｌ（２２ｃ）、Ａ（３２ｃ）へ延びる曲線Ｃ１〜Ｃ３に沿って弾性力が作用することで、この曲線Ｃ１〜Ｃ３に沿って伸縮可能な弾性ストッキング、弾性スリーブとすることができる。これにより、関節運動時における筋肉の動きに合わせて人体を着圧することができ、関節運動時における人体への着圧を強くすることができる。このため、関節運動時と関節静止時との着圧の強さの差を大きくすることができる。よって、関節運動時の着圧により、人体内部でリンパ液を（従来の弾性着衣より）さらに効率よく循環させることが可能な弾性着衣とすることができる。
【００３６】
また、上記第二実施形態において、弾性ストッキング１１は、ストッキング部材１２（着衣部材）と、ストッキング部材１２に貼付されたテープ１３とを有しており、テープ１３は、ストッキング部材１２に曲線Ｃ１状で貼付されることで、ストッキング部材１２に対して曲線Ｃ１状で弾性力を作用させてもよい。これにより、既存のストッキング部材にテープを貼付するだけの簡易な方法により、関節運動時の着圧による人体内部でのリンパ液循環効果を高めることができる。
【００３７】
さらに、上記第一乃至第四実施形態において、弾性力は、関節被覆部Ｌ（２ａ）、Ｌ（２２ａ）、Ａ（３２ａ）の前面における幅方向中心において、直線方向Ｄ１〜Ｄ３に対し０°以上４５°以下（０≦α、β、γ≦４５）の方向に作用してもよい。これにより、先端被覆部Ｌ（２ｂ）、Ｌ（２２ｂ）、Ａ（３２ｂ）及び根本被覆部Ｌ（２ｃ）、Ｌ（２２ｃ）、Ａ（３２ｃ）が延びている直線方向Ｄ１〜Ｄ３に対して弾性力が強く作用し、より確実に関節運動時における筋肉の動きに合わせて人体を着圧することができる。よって、関節運動時の着圧による人体内部でのリンパ液循環効果をさらに高めることができる。
【００３８】
なお、上記第一及び第二実施形態における弾性ストッキング１、１１は、脚部Ｌ全体と腰とを被覆するパンティストッキングであるが、脚部Ｌ全体のみを被覆するセパレートストッキング、脚部Ｌにおいて足首から膝下までを被覆するハイソックスストッキングであってもよい。
【符号の説明】
【００３９】
１  弾性ストッキング
２  ストッキング部材
１１  弾性ストッキング
１２  ストッキング部材
１３  テープ
２１  弾性ストッキング
２２  ストッキング部材
３１  弾性スリーブ
３２  スリーブ部材
Ａ  腕部
Ｃ１〜Ｃ３  曲線
Ｄ１〜Ｄ３  直線方向
Ｌ  脚部
【図１】
2020039754.tif 000003
【図２】
2020039754.tif 000004
【図３】
2020039754.tif 000005
【図４】
2020039754.tif 000006
【図５】
2020039754.tif 000007